(57)【特許請求の範囲】
【請求項１】
ＰＯＳ端末と通信可能に接続し、現金カセットを収納する現金カセット収納装置において、
前記現金カセット収納装置は、前記ＰＯＳ端末での取引で受領した金銭を回収した現金カセットを収納する収納部と、前記現金カセットを識別する識別情報と前記識別情報に応じて特定される前記現金カセットが回収した前記金銭の金銭情報の送信要求とを前記ＰＯＳ端末に通知する送信要求部と、前記送信要求に応じて前記ＰＯＳ端末が通知した前記金銭情報を取得する金銭情報取得部とを有し、
前記現金カセットは、回収した前記金銭の取り出し口に対する取り出し扉の開閉に応じた開閉実績情報を保持するＲＦＩＤタグを有し、
前記収納部は、収納した前記現金カセットの前記ＲＦＩＤタグが保持する開閉実績情報を読み取るリーダライタ部を備え、読み取った開閉実績情報に基づき、前記取り出し扉の開扉実績の有無を判定する、
ことを特徴とする現金カセット収納装置。
【請求項２】
ＰＯＳ端末と通信可能に接続し、現金カセットを収納する現金カセット収納装置において、
前記現金カセット収納装置は、前記ＰＯＳ端末での取引で受領した金銭を回収した現金カセットを収納する収納部と、前記現金カセットを識別する識別情報と前記識別情報に応じて特定される前記現金カセットが回収した前記金銭の金銭情報の送信要求とを前記ＰＯＳ端末に通知する送信要求部と、前記送信要求に応じて前記ＰＯＳ端末が通知した前記金銭情報を取得する金銭情報取得部とを有し、
前記現金カセットは、回収した前記金銭の取り出し口に対して取り出し扉の施錠を行う施錠部と、前記施錠部が前記取り出し扉を一旦開錠すると所定の状態を維持する開錠判別機構とを有し、
前記収納部は、収納した前記現金カセットの前記所定の状態に基づき、前記現金カセットを収納するまでの、前記施錠部に応じた前記取り出し扉の開扉実績の有無を判定する、
ことを特徴とする現金カセット収納装置。
【請求項３】
前記現金カセットの前記開錠判別機構は、前記現金カセットに形成された透過孔と、前記透過孔を遮蔽し、前記施錠部の前記取り出し扉の施錠に応じて移動して前記透過孔を開放する遮蔽板とを備え、
前記収納部は収納した前記現金カセットの前記透過孔に対して発光した光の受光状況に応じて、前記現金カセットの前記開扉実績の有無を判定する、
ことを特徴とする請求項２記載の現金カセット収納装置。
【請求項４】
前記収納部は収納した前記現金カセットの前記透過孔に対して発光した光を受光した場合に、前記現金カセットの前記取り出し扉の開扉実績があったことを判定する、
ことを特徴とする請求項３記載の現金カセット収納装置。
【請求項５】
ＰＯＳ端末と現金カセット収納装置とを有する現金カセット収納処理システムにおいて、
前記ＰＯＳ端末は、回収した金銭の取り出し口に対する取り出し扉の開閉に応じた開閉実績情報を保持するＲＦＩＤタグを有する現金カセットと、前記現金カセットを識別する識別情報ごとに前記現金カセットが回収した前記金銭の金銭情報を保持する現金カセット情報保持部と、送信要求に応じて前記現金カセット情報保持部を参照し前記識別情報に応じて特定した前記現金カセットの前記金銭情報を送信する金銭情報特定部とを有し、
前記現金カセット収納装置は、前記ＰＯＳ端末から前記金銭を回収した前記現金カセットを収納する収納部と、前記識別情報と前記識別情報に応じて特定される前記現金カセットが回収した前記金銭の前記金銭情報の送信要求とを前記ＰＯＳ端末に通知する送信要求部と、前記送信要求に応じて前記ＰＯＳ端末が通知した前記金銭情報を取得する金銭情報取得部とを有し、
前記収納部は、収納した前記現金カセットの前記ＲＦＩＤタグが保持する開閉実績情報を読み取るリーダライタ部を備え、読み取った開閉実績情報に基づき、前記取り出し扉の開扉実績の有無を判定する、
ことを特徴とする現金カセット収納処理システム。
【請求項６】
ＰＯＳ端末と現金カセット収納装置とを有する現金カセット収納処理システムにおいて、
前記ＰＯＳ端末は、回収した金銭の取り出し口に対して取り出し扉の施錠を行う施錠部と、前記施錠部が前記取り出し扉を一旦開錠すると所定の状態を維持する開錠判別機構とを有する現金カセットと、前記現金カセットを識別する識別情報ごとに前記現金カセットが回収した前記金銭の金銭情報を保持する現金カセット情報保持部と、送信要求に応じて前記現金カセット情報保持部を参照し前記識別情報に応じて特定した前記現金カセットの前記金銭情報を送信する金銭情報特定部とを有し、
前記現金カセット収納装置は、前記ＰＯＳ端末から前記金銭を回収した前記現金カセットを収納する収納部と、前記識別情報と前記識別情報に応じて特定される前記現金カセットが回収した前記金銭の前記金銭情報の送信要求とを前記ＰＯＳ端末に通知する送信要求部と、前記送信要求に応じて前記ＰＯＳ端末が通知した前記金銭情報を取得する金銭情報取得部とを有し、
前記収納部は、収納した前記現金カセットの前記所定の状態に基づき、前記現金カセットを収納するまでの、前記施錠部に応じた前記取り出し扉の開扉実績の有無を判定する、
ことを特徴とする現金カセット収納処理システム。
【発明の詳細な説明】
【技術分野】
【０００１】
本発明は、現金カセット収納装置及び現金カセット収納処理システムに関する。
【背景技術】
【０００２】
スーパーマーケット、コンビニエンスストア、レストラン等にはＰＯＳ（Point Of Sale）システムが広く普及している。ＰＯＳシステムを構成するＰＯＳ端末は、バーコードスキャナ、キーボード等の入力手段、硬貨並びに紙幣を入出金する釣銭釣札機等を備えている。
【０００３】
このようなＰＯＳシステムにおける売上金等は、売場に供さないバックヤードに設置した金庫、入金機等を利用して管理されている。特に、入金機は現金集配センタにオンラインにて売上金のデータを送信すると共に、警送業者が入金機に入金された売上金を現金配送センタに運搬する。そして、売上金のデータを受け付けた現金配送センタから金融機関等に立替送金を行うことができる（例えば、特許文献１，２等）。これにより、現金の盗難を防止することができ、また、金融機関等に入金するまでの時間を削減できるようになった。
【先行技術文献】
【特許文献】
【０００４】
【特許文献１】特許第３７１１０６８号公報
【特許文献２】特許第３９５５０６３号公報
【発明の概要】
【発明が解決しようとする課題】
【０００５】
しかし、上記のような方法では、小売店の担当者が釣銭釣札機から売上金（現金）を、例えば、専用の現金袋等に移し替えてバックヤードの金庫、入金機等に運搬している。このような移し替えの際には、担当者が釣銭釣札機から直接現金を扱う必要があるために、現金が紛失してしまう可能性があり、また、移し替えるための煩雑な作業が発生するという問題点があった。
【０００６】
本発明は、このような点に鑑みてなされたものであり、現金を直接扱わせないようにすることができる現金カセット収納装置及び現金カセット収納処理システムを提供することを目的とする。
【課題を解決するための手段】
【０００７】
上記課題を解決するために、ＰＯＳ端末と通信可能に接続し、現金カセットを収納する現金カセット収納装置において、前記現金カセット収納装置は、前記ＰＯＳ端末での取引で受領した金銭を回収した現金カセットを収納する収納部と、前記現金カセットを識別する識別情報と前記識別情報に応じて特定される前記現金カセットが回収した前記金銭の金銭情報の送信要求とを前記ＰＯＳ端末に通知する送信要求部と、前記送信要求に応じて前記ＰＯＳ端末が通知した前記金銭情報を取得する金銭情報取得部とを有し、前記現金カセットは、回収した前記金銭の取り出し口に対する取り出し扉の開閉に応じた開閉実績情報を保持するＲＦＩＤタグを有し、前記収納部は、収納した前記現金カセットの前記ＲＦＩＤタグが保持する開閉実績情報を読み取るリーダライタ部を備え、読み取った開閉実績情報に基づき、前記取り出し扉の開扉実績の有無を判定する。
また、ＰＯＳ端末と通信可能に接続し、現金カセットを収納する現金カセット収納装置において、前記現金カセット収納装置は、前記ＰＯＳ端末での取引で受領した金銭を回収した現金カセットを収納する収納部と、前記現金カセットを識別する識別情報と前記識別情報に応じて特定される前記現金カセットが回収した前記金銭の金銭情報の送信要求とを前記ＰＯＳ端末に通知する送信要求部と、前記送信要求に応じて前記ＰＯＳ端末が通知した前記金銭情報を取得する金銭情報取得部とを有し、前記現金カセットは、回収した前記金銭の取り出し口に対して取り出し扉の施錠を行う施錠部と、前記施錠部が前記取り出し扉を一旦開錠すると所定の状態を維持する開錠判別機構とを有し、前記収納部は、収納した前記現金カセットの前記所定の状態に基づき、前記現金カセットを収納するまでの、前記施錠部に応じた前記取り出し扉の開扉実績の有無を判定する。
【０００８】
また、上記課題を解決するために、ＰＯＳ端末と現金カセット収納装置とを有する現金カセット収納処理システムにおいて、前記ＰＯＳ端末は、回収した金銭の取り出し口に対する取り出し扉の開閉に応じた開閉実績情報を保持するＲＦＩＤタグを有する現金カセットと、前記現金カセットを識別する識別情報ごとに前記現金カセットが回収した前記金銭の金銭情報を保持する現金カセット情報保持部と、送信要求に応じて前記現金カセット情報保持部を参照し前記識別情報に応じて特定した前記現金カセットの前記金銭情報を送信する金銭情報特定部とを有し、前記現金カセット収納装置は、前記ＰＯＳ端末から前記金銭を回収した前記現金カセットを収納する収納部と、前記識別情報と前記識別情報に応じて特定される前記現金カセットが回収した前記金銭の前記金銭情報の送信要求とを前記ＰＯＳ端末に通知する送信要求部と、前記送信要求に応じて前記ＰＯＳ端末が通知した前記金銭情報を取得する金銭情報取得部とを有し、前記収納部は、収納した前記現金カセットの前記ＲＦＩＤタグが保持する開閉実績情報を読み取るリーダライタ部を備え、読み取った開閉実績情報に基づき、前記取り出し扉の開扉実績の有無を判定する。
また、ＰＯＳ端末と現金カセット収納装置とを有する現金カセット収納処理システムにおいて、前記ＰＯＳ端末は、回収した金銭の取り出し口に対して取り出し扉の施錠を行う施錠部と、前記施錠部が前記取り出し扉を一旦開錠すると所定の状態を維持する開錠判別機構とを有する現金カセットと、前記現金カセットを識別する識別情報ごとに前記現金カセットが回収した前記金銭の金銭情報を保持する現金カセット情報保持部と、送信要求に応じて前記現金カセット情報保持部を参照し前記識別情報に応じて特定した前記現金カセットの前記金銭情報を送信する金銭情報特定部とを有し、前記現金カセット収納装置は、前記ＰＯＳ端末から前記金銭を回収した前記現金カセットを収納する収納部と、前記識別情報と前記識別情報に応じて特定される前記現金カセットが回収した前記金銭の前記金銭情報の送信要求とを前記ＰＯＳ端末に通知する送信要求部と、前記送信要求に応じて前記ＰＯＳ端末が通知した前記金銭情報を取得する金銭情報取得部とを有し、前記収納部は、収納した前記現金カセットの前記所定の状態に基づき、前記現金カセットを収納するまでの、前記施錠部に応じた前記取り出し扉の開扉実績の有無を判定する。
【発明の効果】
【０００９】
上記の現金カセット収納装置及び現金カセット収納処理システムによれば、現金の紛失を防止することができる。
【図面の簡単な説明】
【００１０】
【図１】第１の実施の形態に係る現金カセット収納処理システムを説明するための概念図である。
【図２】第２の実施の形態に係る現金カセット収納処理システムを説明するための図である。
【図３】第２の実施の形態に係るＰＯＳシステムを説明するための図である。
【図４】第２の実施の形態に係るＰＯＳシステムのハードウェア構成例の図である。
【図５】第２の実施の形態に係る自動釣札機及び自動釣銭機の機能を説明するための図である。
【図６】第２の実施の形態に係る現金カセット収納装置を説明するための図である。
【図７】第２の実施の形態に係る現金カセット収納装置のハードウェア構成例の図である。
【図８】第２の実施の形態に係る現金カセット収納装置の現金カセットの収納状態を表す収納状態情報を説明するための図である。
【図９】第２の実施の形態に係る現金カセットを説明するための図である。
【図１０】第２の実施の形態に係る現金カセットのロック機構を説明するための図である。
【図１１】第２の実施の形態に係る現金カセットの門扉鍵と遮蔽板との動作の関係を説明するための図である。
【図１２】第２の実施の形態に係る現金カセットの遮蔽板の動作機構の一例を説明するための図である。
【図１３】第２の実施の形態に係る現金カセット収納処理を実行するためのフローチャートである。
【図１４】第２の実施の形態に係る金銭情報取得処理を実行するためのフローチャートである。
【図１５】第２の実施の形態に係る現金カセット情報の一例を説明するための図である。
【発明を実施するための形態】
【００１１】
以下、図面を参照して実施の形態について説明する。
［第１の実施の形態］
図１は、第１の実施の形態に係る現金カセット収納処理システムを説明するための概念図である。
【００１２】
現金カセット収納処理システム１０では、現金カセット収納装置３０は、現金カセットＸが収納されると、ＰＯＳ端末２０から当該現金カセットＸが回収した金銭（硬貨及び紙幣）の、合計金額・金種・数量等に関する金銭の情報（以下、金銭情報という）を取得するものである。
【００１３】
このような現金カセット収納処理システム１０は、ＰＯＳ端末２０と現金カセット収納装置３０とを備え、ＰＯＳ端末２０と現金カセット収納装置３０とがネットワーク４０を介して通信可能に接続されている。
【００１４】
まず、ＰＯＳ端末２０は、小売店等の支払い時に利用される。小売店等で係員がＰＯＳ端末２０を用いて、例えば、物品を購入する顧客から現金を受け取り、当該物品の支払い金額に基づき釣銭を顧客に手渡す。このようなＰＯＳ端末２０は、バーコード（図示を省略）等の入力手段、釣銭釣札部２１、現金カセットＸ（釣銭釣札部２１に内蔵）、制御ユニット部２２等を備える。
【００１５】
釣銭釣札部２１は、投入された金銭（硬貨及び紙幣）を識別して収納すると共に、必要な釣銭及び釣札を出力する。また、釣銭釣札部２１は、収納する金銭を後述する現金カセットＸに出金（収納）して回収させる。この際、釣銭釣札部２１は、出金する金銭の金額を計数し、現金カセットＸが回収した金銭（硬貨及び紙幣）の、合計金額・金種・数量等に関する金銭の情報（金銭情報）を現金カセット情報保持部２２ａに保持させる。
【００１６】
釣銭釣札部２１に内蔵される現金カセットＸは、釣銭釣札部２１が収納する硬貨及び紙幣を内部に回収して、釣銭釣札部２１に着脱可能に収納される。また、現金カセットＸは現金カセットＸを識別する識別情報が対応付けられている。なお、当該識別情報は、例えば、識別番号等を印字したラベルを外部から視認できるように現金カセットＸの筐体表面に貼付しておく。または、当該識別情報を記録したＲＦＩＤ（Radio Frequency IDentification）タグを現金カセットＸに取り付けておく。
【００１７】
制御ユニット部２２は、ＰＯＳ端末２０全体を制御するものであり、釣銭釣札部２１等の制御を行うことができる。また、制御ユニット部２２は、現金カセット情報保持部２２ａを備え、金銭情報特定部２２ｂ等の機能を有する。
【００１８】
現金カセット情報保持部２２ａは、現金カセットＸの識別情報に、現金カセットＸに回収した金銭の金銭情報を対応させた現金カセット情報を保持する。
金銭情報特定部２２ｂは、後述するように現金カセット収納装置３０からの送信要求に応じて現金カセット情報保持部２２ａを参照し識別情報に応じて特定した現金カセットＸの金銭情報を現金カセット収納装置３０に送信する。
【００１９】
次いで、現金カセット収納装置３０について説明する。
現金カセット収納装置３０は、ＰＯＳ端末２０で釣銭釣札部２１から現金を回収した現金カセットＸを収納するものである。このような、現金カセット収納装置３０は、表示部３１、入力部３２、収納部３３及び制御ユニット部３４等を備える。
【００２０】
表示部３１は、処理結果・警告等を表示する。例えば、後述するように、係員により収納された現金カセットＸが受け入れ対象外である場合には、表示部３１はその旨の警告を表示することができる。
【００２１】
入力部３２は係員による操作入力を受け付ける。例えば、識別情報として識別番号が印字されたラベルが現金カセットＸに貼付されている場合には、係員は入力部３２に対して当該識別番号を操作入力することができる。
【００２２】
収納部３３は、ＰＯＳ端末２０が備える釣銭釣札部２１から金銭を回収した現金カセットＸを着脱可能に収納する。
制御ユニット部３４は、現金カセット収納装置３０全体を制御するものである。制御ユニット部３４は、識別情報受付部３４ａ、送信要求部３４ｂ及び金銭情報取得部３４ｃ等の機能を有する。
【００２３】
識別情報受付部３４ａは、現金カセットＸに対応付けられた識別情報を受け付ける。例えば、収納対象の現金カセットＸの収納時に、係員が入力部３２に対して所定の識別番号等の識別情報を操作入力すると、識別情報受付部３４ａが当該識別情報を受け付ける。また、識別情報が記録されたＲＦＩＤタグが現金カセットＸに貼付されている場合には、現金カセット収納装置３０に備えられた図示しないＲＦＩＤリーダライタがＲＦＩＤタグの情報を読み取り、読み取った情報から識別情報受付部３４ａが当該識別情報を受け付ける。
【００２４】
送信要求部３４ｂは、受け付けた識別情報と共に、当該識別情報に対応する金銭情報の送信要求をＰＯＳ端末２０に通知する。
金銭情報取得部３４ｃは、識別情報に対応する現金カセットＸが回収した金銭の金銭情報をＰＯＳ端末２０から取得する。
【００２５】
なお、このような制御ユニット部２２（ＰＯＳ端末２０）の金銭情報特定部２２ｂ、並びに、制御ユニット部３４（現金カセット収納装置３０）の識別情報受付部３４ａ、送信要求部３４ｂ及び金銭情報取得部３４ｃは、ＰＯＳ端末２０及び現金カセット収納装置３０がそれぞれ備える図示しないＣＰＵ（Central Processing Unit：中央演算処理装置）によって現金カセット収納プログラムが実行されることにより、その処理機能が実現されるようにすることも可能である。
【００２６】
このような現金カセット収納処理システム１０における現金カセット収納処理について説明する。
まず、小売店等の係員は、ＰＯＳ端末２０にて、釣銭釣札部２１に対して操作入力を行って、釣銭釣札部２１から内部に収納されている金銭を現金カセットＸに回収させる。この際に、釣銭釣札部２１が現金カセットＸに回収された金銭の金額を計数して、計数した金銭情報を現金カセットＸの識別情報に対応させて現金カセット情報として現金カセット情報保持部２２ａに保持させる。
【００２７】
係員は、このようにして現金の回収が完了した現金カセットＸを釣銭釣札部２１から取り出し、現金カセット収納装置３０まで運ぶ。そして、運んだ現金カセットＸを現金カセット収納装置３０の収納部３３に収納して、入力部３２に現金カセットＸの識別情報を操作入力する。または、現金カセットＸの識別情報はＲＦＩＤタグにより自動的に入力するようにすることも可能である。すると、識別情報受付部３４ａは、収納された現金カセットＸの識別情報を受け付けて、送信要求部３４ｂは、識別情報受付部３４ａが受け付けた識別情報と共に、当該識別情報に対応する金銭情報の送信要求をＰＯＳ端末２０に通知する。
【００２８】
ＰＯＳ端末２０では、金銭情報特定部２２ｂが現金カセット情報保持部２２ａを参照して、通知された識別情報に対応する金銭情報を特定し、特定して金銭情報を現金カセット収納装置３０に通知する。
【００２９】
現金カセット収納装置３０では、金銭情報取得部３４ｃが収納部３３に収納された現金カセットＸが回収した現金の金銭情報をＰＯＳ端末２０から取得することができる。
このように現金カセット収納処理システム１０では、現金カセットＸを現金カセット収納装置３０の収納部３３に収納すると共に、現金カセットＸに対応付けた識別情報を入力する。現金カセット収納装置３０は入力された識別情報に基づいてＰＯＳ端末２０から現金カセットＸが回収した現金の金銭情報を取得するようにした。これにより、係員は金銭を直接扱うことなく現金カセットＸに回収させることができ、現金カセットＸに金銭を移し替える煩雑な作業が不要となる。さらに、現金カセット収納装置３０は、現金カセットＸが回収した現金の紛失を防止できると共に、現金カセットＸが回収した現金の金銭情報を確実に取得することができるようになる。
【００３０】
現金カセット収納装置３０は、さらにこの後、特許文献１，２等のように、現金集配センタにネットワークを介して金銭情報を通知し、警送業者に現金カセットＸを現金集配センタに警送させることができる。
【００３１】
［第２の実施の形態］
第２の実施の形態では、第１の実施の形態についてより具体的に説明する。
まず、現金カセット収納処理システムの概要について図２を用いて説明する。
【００３２】
図２は、第２の実施の形態に係る現金カセット収納処理システムを説明するための図である。
現金カセット収納処理システム１０００は、ＰＯＳシステム１００と現金カセット収納装置２００とを備え、ＰＯＳシステム１００と現金カセット収納装置２００とはネットワーク１３１を介して通信可能に接続されている。
【００３３】
また、現金カセット収納装置２００は、ネットワーク２３１を介して現金集配センタ３００と、現金集配センタ３００はネットワーク３３１を介して金融機関４００とそれぞれ通信可能に接続されている。
【００３４】
なお、このような現金カセット収納処理システム１０００では、ＰＯＳシステム１００にて、自動釣銭機１０６、自動釣札機１０８から硬貨並びに紙幣を回収した現金カセットを現金カセット収納装置２００に収納する。さらに、現金カセット収納装置２００は、現金カセットが回収した金銭（硬貨及び紙幣）の、合計金額・金種・数量等に関する金銭の情報（以下、金銭情報という）を、ネットワーク１３１を介してＰＯＳシステム１００から通知される。
【００３５】
現金カセット収納装置２００は、特許文献１，２に開示されているように、現金を回収した現金カセット１０７を収納して、現金の金銭情報をこのようにして得ると、現金集配センタ３００にネットワーク２３１を介して金銭情報を通知すると共に、警送業者により現金カセット１０７を警送させる。また、現金集配センタ３００は、金銭情報に基づき、金融機関４００に立替送金する。
【００３６】
このような現金カセット収納処理システム１０００では、ＰＯＳシステムから金融機関までの送金を、回収した現金に直接触れることなく行うことができる。
それでは、現金カセット収納処理システム１０００のＰＯＳシステム１００及び現金カセット収納装置２００の詳細について説明する。
【００３７】
まず、ＰＯＳシステム１００のシステム構成について図３〜図５を用いて説明する。
図３は、第２の実施の形態に係るＰＯＳシステムを説明するための図である。
ＰＯＳシステム１００は、ＰＯＳサーバ１３０と１台または複数台のＰＯＳ端末１０１（図示は１台）を備え、販売時点情報管理を行う。ＰＯＳサーバ１３０とＰＯＳ端末１０１は、ネットワーク１３１を介して通信可能に接続される。ＰＯＳサーバ１３０は、外部端末装置（例えば、外部サーバ）と通信可能に接続可能である。
【００３８】
ＰＯＳサーバ１３０は、ＰＯＳ端末１０１により登録された販売情報を一元管理する。また、ＰＯＳサーバ１３０は、商品を識別するための商品コードや価格等を登録した商品マスタを管理する。
【００３９】
ＰＯＳ端末１０１は、キャッシャユニット１０２とチェッカユニット１０３とを有する。キャッシャユニット１０２は、主として販売代金の受領作業を行うためのユニットである。キャッシャユニット１０２は、制御ユニット１０４、キーボード１０５、自動釣銭機１０６、現金カセット１０７、自動釣札機１０８、磁気カードリーダ１０９、タッチパネル１１０、ディスプレイ１１１、カスタマディスプレイ１１２、プリンタ１１３を有する。
【００４０】
制御ユニット１０４は、キャッシャユニット１０２を制御すると共に、ＰＯＳ端末１０１を統括的に制御するコンピュータである。
自動釣銭機１０６は、顧客から受け取った硬貨の入金と、釣銭の出金とを行う。
【００４１】
自動釣札機１０８は、顧客から受け取った紙幣の入金と、釣札の出金とを行う。
現金カセット１０７は、自動釣銭機１０６及び自動釣札機１０８からそれぞれ出金した硬貨及び紙幣を収納する収納庫である。なお、現金カセット１０７の詳細については後述する。なお、自動釣銭機１０６と自動釣札機１０８の代わりに、自動釣銭機１０６と自動釣札機１０８のそれぞれの機能を集約した自動釣銭釣札機を用いた構成を適用することも可能である。
【００４２】
ディスプレイ１１１は、取引作業を行うための所定のＧＵＩ（Graphical User Interface）を表示する。ディスプレイ１１１は、例えば、液晶ディスプレイである。ディスプレイ１１１は、タッチパネル１１０の下層に位置している。ディスプレイ１１１の表示する画像は、タッチパネル１１０を透過して、係員から視認可能である。係員は、ディスプレイ１１１によって表示された画像を見ながら、タッチパネル１１０に対するタッチ操作を行うことができる。
【００４３】
キーボード１０５は、ディスプレイ１１１に表示されたＧＵＩを操作するための入力装置である。
カスタマディスプレイ１１２は、顧客側に取引情報を表示する表示装置であり、例えば、商品購入代金の合計額、顧客からの預かり金額、釣銭金額等を表示する。
【００４４】
磁気カードリーダ１０９は、クレジットカードや会員カード等が備える磁気ストライプに記録された情報を読み取る。プリンタ１１３は、顧客との取引結果をロール紙に印字してレシートを発行する印刷装置である。
【００４５】
チェッカユニット１０３は、主として商品コードの入力作業を行うためのユニットである。チェッカユニット１０３は、レーン台１１５、支柱１１６、固定スキャナ１１７、スピーカ１１８、多項目キーボード１１９、ディスプレイ１２０、カスタマディスプレイ１２１、タッチパネル１２２を有する。
【００４６】
レーン台１１５は、支柱１１６を支持する。また、レーン台１１５には、顧客が持参した買い物かごや、買い物かごに投入された商品が載置される。
支柱１１６は、固定スキャナ１１７、スピーカ１１８、多項目キーボード１１９、ディスプレイ１２０、カスタマディスプレイ１２１、タッチパネル１２２を支持する。
【００４７】
固定スキャナ１１７は、商品に付与されたバーコードを読み取るための装置である。係員は、商品に付されたバーコードを固定スキャナ１１７に向けてかざすことで、固定スキャナ１１７を入力装置とした商品コードの入力を行う。商品コードの入力結果は、ディスプレイ１２０に表示されて、係員が商品コードの入力結果を確認することができる。
【００４８】
タッチパネル１２２は、バーコードの付されていない商品（例えば、ばら売りの野菜や魚等の生鮮食料品や、惣菜等）をディスプレイ１２０に表示される商品群から選択する入力装置である。カスタマディスプレイ１２１は、顧客側に取引情報を表示する表示装置であり、例えば、商品コードを入力した商品の名称、単価等を表示する。また、スピーカ１１８により音声で入力結果を報知する。
【００４９】
多項目キーボード１１９は、係員の操作を受け付ける。例えば、多項目キーボード１１９は、スピーカ１１８からの音声出力で注意喚起されたときに、操作の誤りを認識した係員による訂正操作を受け付ける。
【００５０】
次いで、ＰＯＳシステム１００のキャッシャユニット１０２のハードウェア構成について図４を用いて説明する。
図４は、第２の実施の形態に係るＰＯＳシステムのハードウェア構成例の図である。
【００５１】
キャッシャユニット１０２は、制御ユニット１０４に各種入出力装置を接続する。制御ユニット１０４は、ＣＰＵ１０４ａによって装置全体が制御されている。ＣＰＵ１０４ａには、バス１０４ｇを介してＲＡＭ（Random Access Memory）１０４ｂ、ＨＤＤ（Hard Disk Drive：ハードディスクドライブ）１０４ｃ、通信インタフェース１０４ｄ、グラフィック処理装置１０４ｅ、及び入出力インタフェース１０４ｆが接続されている。
【００５２】
ＲＡＭ１０４ｂには、ＣＰＵ１０４ａに実行させるＯＳ（Operating System）のプログラムやサーバを実行するためのアプリケーションプログラムの少なくとも一部が一時的に格納される。また、ＲＡＭ１０４ｂには、ＣＰＵ１０４ａによる処理に必要な各種データまた処理で生成されたデータ等が格納される。
【００５３】
ＨＤＤ１０４ｃには、ＯＳやアプリケーションプログラムが格納される。また、後述するように現金カセット１０７に対応付けた現金カセットＩＤごとに当該現金カセット１０７が回収した現金の金銭情報等の現金カセット情報を保持する（現金カセット情報保持部２２ａ（図１）に対応）。
【００５４】
グラフィック処理装置１０４ｅには、ディスプレイ１１１、カスタマディスプレイ１１２が接続されている。グラフィック処理装置１０４ｅは、ＣＰＵ１０４ａからの命令に従って、画像をディスプレイ１１１、カスタマディスプレイ１１２の画面に表示させる。
【００５５】
入出力インタフェース１０４ｆには、キーボード１０５、自動釣銭機１０６、自動釣札機１０８、磁気カードリーダ１０９、タッチパネル１１０、プリンタ１１３が接続され、現金カセット１０７は、自動釣銭機１０６及び自動釣札機１０８に接続（収納）されている。なお、現金カセット１０７にＲＦＩＤタグを設けた場合には、図示しないＲＦＩＤリーダライタをさらに接続する。また、入出力インタフェース１０４ｆは、可搬型記録媒体１２３への情報の書込み、及び可搬型記録媒体１２３への情報の読出しが可能な可搬型記録媒体インタフェースと接続可能になっている。入出力インタフェース１０４ｆは、キーボード１０５、自動釣銭機１０６、自動釣札機１０８、現金カセット１０７（自動釣銭機１０６若しくは自動釣札機１０８を経由）、磁気カードリーダ１０９、タッチパネル１１０、プリンタ１１３、可搬型記録媒体インタフェース（及びＲＦＩＤリーダライタ）から送られてくる信号を、バス１０４ｇを介してＣＰＵ１０４ａに送信する。
【００５６】
通信インタフェース１０４ｄは、例えば、ＲＳ−２３２Ｃ（Recommended Standard 232 version C）やＵＳＢ（Universal Serial Bus）接続の接続形式でチェッカユニット１０３に接続されている。通信インタフェース１０４ｄは、チェッカユニット１０３との間でデータの送受信を行う。
【００５７】
以上のようなハードウェア構成によって、本実施の形態の処理機能を実現することができる。なお、チェッカユニット１０３、ＰＯＳサーバ１３０も同様のハードウェア構成で実現できる。
【００５８】
なお、キャッシャユニット１０２、チェッカユニット１０３は、それぞれＦＰＧＡ（Field Programmable Gate Array）やＤＳＰ（Digital Signal Processer）等からなるモジュールを含んで構成することもでき、ＣＰＵ１０４ａを有しない構成とすることもできる。その場合、キャッシャユニット１０２、チェッカユニット１０３は、それぞれ不揮発性メモリ（例えば、ＥＥＰＲＯＭ（Electrically Erasable and Programmable Read Only Memory）、フラッシュメモリ、フラッシュメモリ型メモリカード等）を備え、モジュールのファームウェアを記憶する。不揮発性メモリは、可搬型記録媒体１２３、あるいは通信インタフェース１０４ｄを介してファームウェアを書き込むことができる。このようにキャッシャユニット１０２、チェッカユニット１０３は、不揮発性メモリに記憶されているファームウェアを書き換えることにより、ファームウェアの更新をすることもできる。
【００５９】
次に、ＰＯＳシステム１００のキャッシャユニット１０２が備える自動釣銭機１０６及び自動釣札機１０８のハードウェア構成について図５を用いて説明する。
図５は、第２の実施の形態に係る自動釣札機及び自動釣銭機の機能を説明するための図である。
【００６０】
自動釣銭機１０６及び自動釣札機１０８は、キャッシャユニット１０２と連動して動作可能である。具体的には、例えば、キャッシャユニット１０２で顧客が購入する商品を登録する処理が行われ、自動釣銭機１０６及び自動釣札機１０８の投入口から硬貨並びに紙幣が投入されると、この投入金額から売上金額を差し引いた釣銭及び釣札を排出口から排出する。係員はこのようにして排出された釣銭及び釣札を顧客に支払う。
【００６１】
また、自動釣銭機１０６及び自動釣札機１０８は、投入口から投入された硬貨及び紙幣を取り込んで内部に収納し、返却口から硬貨及び紙幣を排出するだけでなく、出金口から現金カセット１０７に出金する。
【００６２】
このような自動釣銭機１０６及び自動釣札機１０８は、図５に示されるように、ＣＰＵ１０６ａ／１０８ａにバス１０６ｊ／１０８ｊを介して、ＲＡＭ１０６ｂ／１０８ｂ、不揮発性メモリ１０６ｃ／１０８ｃ、入金搬送部１０６ｄ／１０８ｄ、金種振分部１０６ｅ／１０８ｅ、収納部１０６ｆ／１０８ｆ、出金搬送部１０６ｇ／１０８ｇ、計数部１０６ｈ／１０８ｈ及び通信部１０６ｉ／１０８ｉ等が接続されている。
【００６３】
不揮発性メモリ１０６ｃ／１０８ｃは、自動釣銭機１０６及び自動釣札機１０８内でそれぞれ管理する硬貨及び紙幣の情報等をそれぞれ記憶する。
入金搬送部１０６ｄ／１０８ｄは、入金される硬貨及び紙幣を投入口から収納部１０６ｆ／１０８ｆまで搬送する。
【００６４】
金種振分部１０６ｅ／１０８ｅは、入金搬送部１０６ｄ／１０８ｄ上に設けられ、搬送されている硬貨及び紙幣の金種ごとに振り分けて、各金種に対応する収納部１０６ｆ／１０８ｆに搬送させる。
【００６５】
収納部１０６ｆ／１０８ｆは、金種ごとに区別された収納領域に、それぞれの収納領域に対応する金種の硬貨並びに紙幣を収納する。
なお、収納部１０６ｆ／１０８ｆに硬貨若しくは紙幣を金種ごとに振分け区分して収納しない構成としても良い。その場合は金種振分部１０６ｅ／１０８ｅは不要となる。
【００６６】
出金搬送部１０６ｇ／１０８ｇは、収納部１０６ｆ／１０８ｆから出金される硬貨並びに紙幣を返却口または出金口まで搬送する。
計数部１０６ｈ／１０８ｈは、出金口から現金カセット１０７に出金される硬貨並びに紙幣を計数する。計数した硬貨並びに紙幣の金銭情報は、不揮発性メモリ１０６ｃ／１０８ｃ等に記憶され、また、後述する通信部１０６ｉ／１０８ｉを介して、キャッシャユニット１０２に通知されてキャッシャユニット１０２内で保存される。
【００６７】
通信部１０６ｉ／１０８ｉは、外部の装置、例えば、キャッシャユニット１０２との通信を制御する通信インタフェースである。
次に、現金カセット収納装置２００について図６〜図８を用いて説明する。なお、以下では、図３及び図４で既出の構成の詳細の説明については省略する。
【００６８】
図６は、第２の実施の形態に係る現金カセット収納装置を説明するための図、図７は、第２の実施の形態に係る現金カセット収納装置のハードウェア構成例の図である。また、図８は、第２の実施の形態に係る現金カセット収納装置の現金カセットの収納状態を表す収納状態情報を説明するための図である。
【００６９】
現金カセット収納装置２００は、図６に示されるように、制御ユニット２０４、キーボード２０５、磁気カードリーダ２０９、タッチパネル２１０、ディスプレイ２１１、プリンタ２１３及びロッカ部２５０を有する。
【００７０】
制御ユニット２０４は、現金カセット収納装置２００全体を統括的に制御するコンピュータであり、各種入出力装置が接続されている。制御ユニット２０４は、図７に示されるように、ＣＰＵ２０４ａによって装置全体が制御されている。ＣＰＵ２０４ａには、バス２０４ｇを介してＲＡＭ２０４ｂ、ＨＤＤ２０４ｃ、通信インタフェース２０４ｄ、グラフィック処理装置２０４ｅ、及び入出力インタフェース２０４ｆが接続されている。
【００７１】
なお、磁気カードリーダ２０９では、利用者（店舗関係者または警送業者）を識別するためのＩＤカードが備える磁気ストライプに記録された利用者の識別情報を読み取る。
また、プリンタ２１３は、店舗関係者による現金カセット１０７の収納時に収納した旨を、また、警送業者による現金カセット１０７の回収時に回収対象の現金カセット１０７内の金銭情報をレシートにそれぞれ印字する。
【００７２】
ロッカ部２５０は、現金カセット１０７を着脱可能に収納することができる。現金カセット１０７はキャッシャユニット１０２に収納されていたもの、空のもののいずれかである。なお、図６では、２１個のシェルフが設けられており、２１個の現金カセット１０７を同時に収納することができる。２１個のシェルフには、それぞれロッカナンバ「Ｒ１」〜「Ｒ２１」が割り当てられている。また、各シェルフにはそれぞれロックランプ２５１を備えており、収納した現金カセットがロックされている場合には点灯して、現金カセットがロックされているか否かを目視で確認できるようになっている。また、ロッカ部２５０には、現金カセット１０７が収納されているか否かを検知するセンサ（収納判定センサ）と共に、現金カセット１０７の開扉実績の有無を判定するセンサ（開扉判定センサ）を備えている。なお、開扉判定センサについては後述する。ロッカ部２５０は、このような収納判定センサ及び開扉判定センサ等を利用して、図８に示されるように、シェルフのロッカナンバごと、収納されている現金カセット１０７の現金カセットＩＤ及び当該現金カセット１０７の収納状態を管理している。例えば、ロッカナンバ「Ｒ１」には、現金カセットＩＤ「１０１」の空の現金カセット１０７が収納されている。ロッカナンバ「Ｒ４」には、現金カセットＩＤ「１０４」であって、回収対象の現金カセット１０７が収納されている。また、既述の通り、シェルフごとにロックランプ２５１が設けられ、点灯状態により、「消灯」は使用済みカセット（回収対象）、「点灯」は空カセット、「点滅」は使用すべき空カセット、であることを示す。
【００７３】
次に、現金カセット１０７について図９及び図１０を用いて説明する。
図９は、第２の実施の形態に係る現金カセットを説明するための図、図１０は、第２の実施の形態に係る現金カセットのロック機構を説明するための図である。なお、図１０は、図９の現金カセット１０７の下側（透過孔１０７ｄ側）からの図である。
【００７４】
現金カセット１０７は、箱型状の密封された筐体１０７ａに対して、自動釣銭機１０６及び自動釣札機１０８から硬貨及び紙幣が入金される入金口１０７ｂと、内部に回収した硬貨及び紙幣を取り出すための取り出し口１０７ｃとが形成されている。なお、入金口１０７ｂは硬貨及び紙幣が通過できる程度の大きさである。さらに、筐体１０７ａには、光が透過する透過孔１０７ｄ，１０７ｅと、後述するように現金カセット１０７を自動釣銭機１０６及び自動釣札機１０８に収納した際に、遮蔽板１０７ｊを元の位置に戻すためのリセット棒が自動釣銭機１０６及び自動釣札機１０８からそれぞれ挿入されるリセット孔１０７ｆと、現金カセット１０７をロックするためのロック棒が挿入されるロック孔１０７ｇとが形成されている。
【００７５】
なお、現金カセット収納装置２００は、現金カセット１０７が収納されると、所定の処理後に、図１０に示されるように、ロック棒１０８ｋをロック孔１０７ｇに嵌合して周知・従来のロック機構によりロックする。これにより、現金カセット収納装置２００に対して現金カセット１０７が固定される。
【００７６】
また、筐体１０７ａには、取り出し口１０７ｃに対して開閉可能な取り出し扉１０７ｈと、取り出し口１０７ｃを閉じた状態で取り出し扉１０７ｈを施錠する門扉鍵１０７ｉ（施錠部）とを備える。さらに、門扉鍵１０７ｉの回転動作に応じて図中左右方向にスライド動作する遮蔽板１０７ｊとを備える。
【００７７】
なお、門扉鍵１０７ｉの回転動作と遮蔽板１０７ｊのスライド動作の関係について図１１を用いて説明する。
図１１は、第２の実施の形態に係る現金カセットの門扉鍵と遮蔽板との動作の関係を説明するための図である。
【００７８】
なお、遮蔽板１０７ｊが透過孔１０７ｄを遮蔽されるように図９中右側に位置している状態を初期状態とする。
門扉鍵１０７ｉは左右方向にそれぞれ回転することができる。門扉鍵１０７ｉを右に回すと取り出し扉１０７ｈが開錠されて、この際、遮蔽板１０７ｊは、図９中左側にスライドして、透過孔１０７ｄが開放される。一方、門扉鍵１０７ｉを左に回すと開錠されていた取り出し扉１０７ｈは施錠されるものの、遮蔽板１０７ｊはスライド動作を行わない。つまり、門扉鍵１０７ｉを右に回して取り出し扉１０７ｈが開けられてしまうと、その後、門扉鍵１０７ｉを左に回して取り出し扉１０７ｈを施錠しても、遮蔽板１０７ｊは左側に位置した状態が維持されて透過孔１０７ｄも開放状態が維持される。
【００７９】
このような構造を利用して、現金カセット収納装置２００のロッカ部２５０には、現金カセット１０７が収納されると、図９に示されるように、現金カセット１０７の透過孔１０７ｄ，１０７ｅに対向するように開扉判定センサ２５０ａ，２５０ｂがそれぞれ設けられている。
【００８０】
開扉判定センサ２５０ａ，２５０ｂは受発光素子である。開扉判定センサ２５０ａ，２５０ｂが光の透過を検知しない場合には、キャッシャユニット１０２から現金カセット収納装置２００に収納されるまでの間に現金カセット１０７の取り出し扉１０７ｈが一度も開けられていないことを意味する。一方、開扉判定センサ２５０ａ，２５０ｂが光を検知する場合には、キャッシャユニット１０２から現金カセット収納装置２００に収納されるまでの間に現金カセット１０７の取り出し扉１０７ｈが開いたことを意味する。なお、現金カセット収納装置２００は、開扉判定センサ２５０ａ，２５０ｂで、光の透過が検知された現金カセット１０７は収納しないようにする。
【００８１】
次いで、図１１に示したような門扉鍵１０７ｉの回転動作に基づいて、スライド動作を行う遮蔽板１０７ｊと透過孔１０７ｄと関係を実現するための開錠判別機構の一例について図１２を用いて説明する。
【００８２】
図１２は、第２の実施の形態に係る現金カセットの遮蔽板の動作機構の一例を説明するための図である。なお、図１２は、図９に示した現金カセット１０７の下部を拡大して模式的に示している。
【００８３】
まず、図１２（Ａ）に示されるように、門扉鍵１０７ｉにはＬ字状の係止部材１０７ｌが設けられており、門扉鍵１０７ｉの回転に伴って係止部材１０７ｌも回転する。また、リセット孔１０７ｆ側にはさらに軸１０７ｍで軸支された係止部材１０７ｎが設けられており、係止部材１０７ｎは軸１０７ｍを中心に回転することができる。また、遮蔽板１０７ｊの両端部は垂直（図中上方向）に立ち上がっており、右端部は係止部材１０７ｎの下端部と当接している。
【００８４】
また、遮蔽板１０７ｊは図中右側に位置して透過孔１０７ｄを塞いでいる（初期状態）。
この状態から門扉鍵１０７ｉを右回転して、取り出し扉１０７ｈ（図９）を開錠すると、門扉鍵１０７ｉと共に右回転する係止部材１０７ｌにより遮蔽板１０７ｊの左端部が左側に押圧されて、遮蔽板１０７ｊは左側に移動して、透過孔１０７ｄが開放される（図１２（Ｂ））。
【００８５】
なお、左側に移動する遮蔽板１０７ｊと共に、下端部が遮蔽板１０７ｊの右端部に係止された状態で係止部材１０７ｎも軸１０７ｍを中心に右回転する。
そして、門扉鍵１０７ｉを左回転して元の位置に戻すと、左側に移動した遮蔽板１０７ｊはその位置で維持されて、門扉鍵１０７ｉと共に係止部材１０７ｌが元の位置に戻る（図１２（Ｃ））。
【００８６】
また、このように透過孔１０７ｄを開放した状態の遮蔽板１０７ｊを元に戻すためには、現金カセット１０７を図３に示すキャッシャユニット１０２の自動釣銭機１０６及び自動釣札機１０８に収納する必要がある。
【００８７】
具体的には、例えば、自動釣銭機１０６及び自動釣札機１０８には、図１２（Ｄ）に示されるように、リセット棒１０８ｌを備えている。現金カセット１０７を自動釣銭機１０６及び自動釣札機１０８の元の位置に戻すと、リセット棒１０８ｌがリセット孔１０７ｆに嵌合する。すると、係止部材１０７ｎの（軸１０７ｍの）上部側がリセット棒１０８ｌに押圧されて、係止部材１０７ｎが軸１０７ｍを中心して左回転すると共に、係止部材１０７ｎの下端部が遮蔽板１０７ｊを右側にスライドさせる。このようにして、遮蔽板１０７ｊが透過孔１０７ｄを塞ぎ、初期状態に戻る。
【００８８】
つまり、自動釣銭機１０６及び自動釣札機１０８により透過孔１０７ｄを遮蔽状態にされた現金カセット１０７以外は現金カセット収納装置２００は受け入れないこととすることができる。
【００８９】
なお、上述に記載した鍵の機構に限定されず、現金カセット１０７の開閉状態が確認できる方法であれば他の手法、例えばＲＦＩＤタグ、メモリ等に開閉状態情報を書き込むようにすることも可能である。但し、ＲＦＩＤタグ等は、現金カセット１０７は移送中に外部からの衝撃等を受けて破損する恐れがある。このような場合に備えて、取り出し扉１０７ｈの開扉の判定に、図１２に示した機械式を用いることが好ましい。
【００９０】
次に、このような現金カセット１０７を自動釣銭機１０６及び自動釣札機１０８から現金カセット収納装置２００に対する収納処理について図１３〜図１５を用いて説明する。
図１３は、第２の実施の形態に係る現金カセット収納処理を実行するためのフローチャートである。
【００９１】
なお、現金カセット収納装置２００のロッカ部２５０には現金を回収した現金カセット１０７または空の現金カセット１０７のいずれかが必ず収納されるものとする。また、現金カセット収納装置２００は、図８に示したようにロッカ部２５０に対する収納状態を管理している。
【００９２】
［ステップＳ１１］  現金カセット収納装置２００は、ディスプレイ２１１に利用者のＩＤ番号受け付け画面を表示して、利用者のＩＤ番号を受け付ける。
なお、利用者は、例えば、キーボード２０５に対する操作入力、または、磁気カードを磁気カードリーダ２０９に挿入して磁気ストライプに記録されているＩＤ番号を読み取らせることにより、ＩＤ番号を入力することができる。また、利用者は、現金を回収した現金カセット１０７の収納に来た店舗関係者（係員、店舗マネージャ等）、現金カセット１０７の回収に来た警送業者またはそれら以外の者（部外者）に分けられる。
【００９３】
［ステップＳ１２］  現金カセット収納装置２００は、入力されたＩＤ番号から、利用者が店舗関係者であるか否かを判定する。
次の処理は、店舗関係者である場合にはステップＳ１３に進められ、店舗関係者ではない場合にはステップＳ１９に進められる。
【００９４】
［ステップＳ１３］  現金カセット収納装置２００は、店舗関係者から収納対象の現金カセット１０７の識別情報である現金カセットＩＤの入力を受け付ける。
なお、店舗関係者は、例えば、キーボード２０５に対する操作入力により現金カセットＩＤを現金カセット収納装置２００に入力することができる。また、現金カセット１０７に、現金カセットＩＤを記録したＲＦＩＤタグ等を貼付し、ＲＦＩＤリーダライタ（不図示）を具備した現金カセット収納装置２００が現金カセット１０７に貼付されたＲＦＩＤタグを読み出すことで現金カセットＩＤの入力とすることも可能である。
【００９５】
［ステップＳ１４］  現金カセット収納装置２００は、店舗関係者により収納対象の現金カセット１０７を収納するロッカ部２５０の収納先のロッカ番号を受け付ける。
例えば、現金カセット収納装置２００はディスプレイ２１１にロッカ部２５０における現金カセット１０７の収納状態を表示する。店舗関係者は表示された収納状態から空の現金カセット１０７の収納先を確認し、収納対象の現金カセット１０７の収納先のロッカ番号を入力する。
【００９６】
［ステップＳ１５］  現金カセット収納装置２００は、指定されたロッカ番号に収納されている空の現金カセット１０７のみのロックを解除し、当該ロッカ番号に対応するロックランプ２５１を点滅させ、店舗関係者に対象の空カセットの場所を認識させる。
【００９７】
例えば、現金カセット収納装置２００は、ロック解除が完了するとディスプレイ２１１に、空の現金カセット１０７を抜き取り、抜き取った箇所に、現金を回収した現金カセット１０７を収納する旨の案内を表示する。
【００９８】
［ステップＳ１６］  現金カセット収納装置２００は、新たな現金カセット１０７の収納の検知を待ち受ける。次の処理は、収納を検知するとステップＳ１７の処理に進められる。
【００９９】
［ステップＳ１７］  現金カセット収納装置２００は、キャッシャユニット１０２から、収納された現金カセット１０７が回収した現金の金銭情報取得処理を実行する。
なお、ステップＳ１７の処理の詳細については後述する。
【０１００】
［ステップＳ１８］  現金カセット収納装置２００は、ディスプレイ２１１に金銭情報取得処理結果に応じた案内を表示する。
例えば、後述する図１４のステップＳ３８の処理（現金カセット情報を現金集配センタに送信）を行った場合には、現金カセット収納装置２００が現金カセット１０７を正常に収納して、現金集配センタに必要な情報を送信したことをディスプレイ２１１に表示する。また、図１３のステップＳ３９の処理（エラーの判定）を行った場合には、現金カセット収納装置２００が収納した現金カセット１０７が不適切である旨をディスプレイ２１１に表示する。
【０１０１】
また、この際、プリンタ２１３が、現金カセット１０７を収納した旨のレシートを印字するようにすることも可能である。
［ステップＳ１９］  現金カセット収納装置２００は、入力されたＩＤ番号から、利用者が警送業者であるか否かを判定する。
【０１０２】
次の処理は、警送業者である場合にはステップＳ２０に進められ、警送業者ではない場合にはステップＳ２４に進められる。
［ステップＳ２０］  現金カセット収納装置２００は、警送業者から回収対象の現金カセット１０７の識別情報である現金カセットＩＤの入力を受け付ける。
【０１０３】
なお、警送業者は、例えば、キーボード２０５に対する操作入力により現金カセットＩＤを現金カセット収納装置２００に入力することができる。
［ステップＳ２１］  現金カセット収納装置２００は、入力された現金カセットＩＤに対応する回収対象の現金カセット１０７が収納されているか否かを判定する。
【０１０４】
次の処理は、回収対象の現金カセット１０７が収納されている場合にはステップＳ２２に進められ、収納されていない場合にはステップＳ２４に進められる。
［ステップＳ２２］  現金カセット収納装置２００は、回収対象の現金カセット１０７のみのロックを解除する。
【０１０５】
なお、現金カセット収納装置２００は、回収対象の現金カセット１０７のロックを解除すると、ディスプレイ２１１に、回収対象の現金カセット１０７を抜き取り、抜き取った箇所に、空の現金カセット１０７を収納する旨の案内を表示する。
【０１０６】
また、この際、現金カセット収納装置２００は、プリンタ２１３から回収対象の現金カセット１０７内の現金の金銭情報をレシートに印字して出力させるようにすることもできる。
【０１０７】
［ステップＳ２３］  現金カセット収納装置２００は、空の現金カセット１０７の収納の検知を待ち受け、収納を検知したら、収納したシェルフのロッカ番号に対応するロックランプ２５１を点灯させる。次の処理は、収納を検知するとステップＳ２５の処理に進められる。
【０１０８】
［ステップＳ２４］  現金カセット収納装置２００は、例えば、ディスプレイ２１１に、利用者が適切でない旨や、回収対象の現金カセット１０７が収納されていない旨の表示を行って、現金カセット収納処理を終了する。
【０１０９】
［ステップＳ２５］  現金カセット収納装置２００は、現金カセット１０７の収納状態を更新する。
例えば、現金カセット収納装置２００は、現金を回収した現金カセット１０７が収納され、または、現金を回収した現金カセット１０７から空の現金カセット１０７が収納されると、図８に示した収納状態情報を更新する。
【０１１０】
［ステップＳ２６］  現金カセット収納装置２００は、利用者から収納終了の受け付けを待ち受ける。次の処理は、利用者から収納完了の指示を受け付けるとステップＳ２７に進められる。
【０１１１】
例えば、店舗関係者は現金を回収した現金カセット１０７の収納を完了し、また、警送業者は回収対象の現金カセット１０７の回収及び空の現金カセット１０７の収納を完了すると、店舗関係者及び警送業者は現金カセット収納装置２００に収納完了の操作入力を行う。
【０１１２】
［ステップＳ２７］  現金カセット収納装置２００は、安全のために、ロッカ部２５０に収納されている全ての現金カセット１０７に対してロックを行う。
なお、ステップＳ２７では、正常にロックされていない場合等に備えて現金カセット収納処理の最後に念のために現金カセット１０７に対するロックを行うものである。このため、必要に応じてステップＳ２７の処理を実行するようにしても構わない。
【０１１３】
以上の現金カセット収納処理により、現金カセット収納装置２００に対して、現金を回収した現金カセット１０７を収納することができ、また、現金を回収した現金カセット１０７を回収することができる。
【０１１４】
次いで、ステップＳ１７で実行される金銭情報取得処理について図１４及び図１５を用いて説明する。
図１４は、第２の実施の形態に係る金銭情報取得処理を実行するためのフローチャートであって、図１５は、第２の実施の形態に係る現金カセット情報の一例を説明するための図である。
【０１１５】
［ステップＳ３１］  現金カセット収納装置２００は、開扉判定センサ２５０ａ，２５０ｂを動作させる。
［ステップＳ３２］  現金カセット収納装置２００は、開扉判定センサ２５０ａ，２５０ｂで受光を検知するか否かを判定する。
【０１１６】
次の処理は、開扉判定センサ２５０ａ，２５０ｂで受光を検知しない（遮蔽板１０７ｊが透過孔１０７ｄを遮蔽している）場合には、取り出し扉１０７ｈの開扉実績がなく、ステップＳ３３に進められる。一方、開扉判定センサ２５０ａ，２５０ｂで受光を検知する（遮蔽板１０７ｊが透過孔１０７ｄを開放している）場合には、取り出し扉１０７ｈの開扉実績があり、ステップＳ３９に進められる。
【０１１７】
［ステップＳ３３］  現金カセット収納装置２００は、ステップＳ１３で受け付けた現金カセットＩＤと共に、現金カセットＩＤに対応する現金カセット１０７が回収した金額の金銭情報要求をＰＯＳシステム１００のキャッシャユニット１０２に通知する。
【０１１８】
［ステップＳ４１］  キャッシャユニット１０２は、現金カセット収納装置２００から現金カセットＩＤの通知を待ち受ける。次の処理は、現金カセットＩＤが通知されると、ステップＳ４２に進められる。
【０１１９】
［ステップＳ４２］  キャッシャユニット１０２は、現金カセット１０７が回収した現金の金銭情報を当該現金カセット１０７の現金カセットＩＤに対応させた現金カセット情報を参照して、通知された現金カセットＩＤに対応する現金カセット１０７が回収した現金の金銭情報を取得する。
【０１２０】
［ステップＳ４３］  キャッシャユニット１０２は、取得した金銭情報を現金カセット収納装置２００に通知する。
［ステップＳ３４］  現金カセット収納装置２００は、キャッシャユニット１０２から金銭情報の通知を待ち受ける。次の処理は、金銭情報を正常に受信するとステップＳ３５に進められる。
【０１２１】
［ステップＳ３５］  現金カセット収納装置２００は、受信した金銭情報を現金カセットＩＤに対応付けて保存する。
例えば、図１５に示されるように、現金カセットＩＤに対して、金銭情報の受信時間、金銭情報を送信したＰＯＳシステムの番号（ＰＯＳ番号）、金銭情報をそれぞれ対応付けて保存する。具体的には、現金カセットＩＤ「１０４」に対応する現金カセット１０７は、２０１１年１１月１３日２１時１２分に、ＰＯＳ番号「Ｐ３」から金銭情報（「￥５７６，２７８」）が通知されたことが分かる。
【０１２２】
［ステップＳ３６］  現金カセット収納装置２００は、収納した現金カセット１０７をロックする。
例えば、図１０に示したように、ロック孔１０７ｇに対してロック棒１０８ｋを嵌合させて現金カセット１０７をロックする。
【０１２３】
［ステップＳ３７］  現金カセット収納装置２００は、現金カセット１０７に対して正常にロックがすることができたか否かを判定する。
次の処理は、正常にロックすることができた場合にはステップＳ３８に進められ、正常にロックできなかった場合にはステップＳ３９に進められる。
【０１２４】
なお、この際、正常にロックできた場合は、ロックしたシェルフのロッカ番号に対応するロックランプ２５１を点灯させる。
［ステップＳ３８］  現金カセット収納装置２００は、通知された金銭情報を、例えば、指定の現金集配センタに通知する。
【０１２５】
なお、この際、現金集配センタに、収納した現金カセット１０７の回収要求を通知することも可能である。この回収要求が通知された現金集配センタから、警送業者が現金カセット収納装置２００に収納した現金カセット１０７の回収に来るようにすることができる。
【０１２６】
また、このように現金集配センタに金銭情報の送信が完了したら、ステップＳ１８では、例えば、現金カセット１０７の収納が完了した旨の案内をディスプレイ２１１に表示する。
【０１２７】
［ステップＳ３９］  現金カセット収納装置２００は、金銭情報取得処理にエラーが生じたことを判定する。
なお、このように金銭情報取得処理にてエラーが生じたことを判定すると、ステップＳ１８では、例えば、収納しようとした現金カセット１０７は受け付けられない旨の案内をディスプレイ２１１に表示する。
【０１２８】
以上の金銭情報取得処理により、現金カセット収納装置２００は現金カセット１０７を収納すると共に、現金カセット１０７が回収した現金の金銭情報を取得することができる。現金カセット収納装置２００は、取得した金銭情報を、さらに、現金集配センタに送付することができる。
【０１２９】
このように現金カセット収納処理システム１０００では、ＰＯＳシステム１００の現金カセット１０７を現金カセット収納装置２００のロッカ部２５０に収納し、現金カセット収納装置２００に現金カセット１０７に対応付けた現金カセットＩＤを入力する。そして、現金カセット収納装置２００は、入力された現金カセットＩＤに対応する金銭情報をＰＯＳシステム１００に問い合わせて、ＰＯＳシステム１００から当該金銭情報を取得するようにした。これにより、係員は現金を直接扱うことなく現金カセット１０７に回収させることができ、現金カセット１０７に現金を移し替える煩雑な作業が不要となる。また、現金カセット収納装置２００は、現金カセット１０７が回収した現金の紛失を防止できると共に、現金カセット１０７が回収した現金の金銭情報を確実に取得することができるようになる。
【０１３０】
さらに、現金カセット１０７は、内部に収納した現金を取り出すための取り出し扉１０７ｈの門扉鍵１０７ｉを一旦開錠すると、遮蔽板１０７ｊがスライド動作して透過孔１０７ｄの開放状態を維持するようにした。そして、現金カセット１０７を収納する現金カセット収納装置２００において現金カセット１０７の透過孔１０７ｄに対する光の透過状態を判別するようにした。つまり、現金カセット１０７には光の透過状態に基づき、開扉実績の有無が分かるようにした。これにより、現金カセット収納装置２００は、現金カセット１０７をキャッシャユニット１０２から現金カセット収納装置２００に収納するまでの間に、取り出し扉１０７ｈが開けられたか否かを判定することが可能となる。したがって、現金カセット１０７は、取り出し扉１０７ｈが開けられ、例えば、現金が抜き取られた等の現金が紛失した可能性がある現金カセット１０７を収納しないようにして、不正な取引を発見することができるようになる。
【０１３１】
なお、上記の処理機能は、コンピュータによって実現することができる。その場合、ＰＯＳ端末２０、ＰＯＳシステム１００、現金カセット収納装置３０，２００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリ等がある。磁気記録装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Read Only Memory）、ＣＤ−Ｒ（Recordable）／ＲＷ（ReWritable）等がある。光磁気記録媒体には、ＭＯ（Magneto-Optical disk）等がある。
【０１３２】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１３３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【０１３４】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成及び応用例に限定されるものではない。
【符号の説明】
【０１３５】
１０  現金カセット収納処理システム
２０  ＰＯＳ端末
２１  釣銭釣札部
２２，３４  制御ユニット部
２２ａ  現金カセット情報保持部
２２ｂ  金銭情報特定部
３０  現金カセット収納装置
３１  表示部
３２  入力部
３３  収納部
３４ａ  識別情報受付部
３４ｂ  送信要求部
３４ｃ  金銭情報取得部
４０  ネットワーク
【図１】
0005753765.tif 000002
【図２】
0005753765.tif 000003
【図３】
0005753765.tif 000004
【図４】
0005753765.tif 000005
【図５】
0005753765.tif 000006
【図６】
0005753765.tif 000007
【図７】
0005753765.tif 000008
【図８】
0005753765.tif 000009
【図９】
0005753765.tif 000010
【図１０】
0005753765.tif 000011
【図１１】
0005753765.tif 000012
【図１２】
0005753765.tif 000013
【図１３】
0005753765.tif 000014
【図１４】
0005753765.tif 000015
【図１５】
0005753765.tif 000016